(57)【要約】【課題】  本発明は、簡単な操作で容易に画像の共有を行うことができ、従って従来と比較して一段とソーシャル・ネットワーキング・サービス（ＳＮＳ）におけるエンタテインメント性を向上させることができる画像共有システム及びその方法を提供することを目的とする。【解決手段】  画像提供者の入力操作に応じて、投稿対象の画像に対して文字情報を付加することにより、第１の投稿画像を生成する第１の投稿画像生成手段と、第１の投稿画像の著作権を放棄することに同意したか否かを判定する判定手段と、第１の投稿画像の著作権を放棄することに同意したと判定された場合には、第１の投稿画像をサーバ装置及びソーシャル・ネットワーキング・サービス用サーバ装置に送信する第１の送信手段とを有する画像提供者用端末装置を備える。【選択図】図１
2014146100.tif 000002
【特許請求の範囲】
【請求項１】
画像提供者の入力操作に応じて、投稿対象の画像に対して文字情報を付加することにより、第１の投稿画像を生成する第１の投稿画像生成手段と、
前記第１の投稿画像の著作権を放棄することに同意したか否かを判定する判定手段と、
前記第１の投稿画像の著作権を放棄することに同意したと判定された場合には、前記第１の投稿画像をサーバ装置及びソーシャル・ネットワーキング・サービス用サーバ装置に送信する第１の送信手段と
を有する画像提供者用端末装置と、
前記画像提供者用端末装置から送信された前記第１の投稿画像を受信する受信手段と、
前記受信手段によって受信された前記第１の投稿画像を記憶する記憶手段と
を有する前記サーバ装置と、
画像利用者の入力操作に応じて、前記サーバ装置の前記記憶手段に記憶されている前記第１の投稿画像の中から、所望の前記第１の投稿画像を選択して取得する取得手段と、
前記取得手段によって取得された前記第１の投稿画像の文字情報を置き換えることにより、第２の投稿画像を生成する第２の投稿画像生成手段と、
前記第２の投稿画像を前記ソーシャル・ネットワーキング・サービス用サーバ装置に送信する第２の送信手段と
を有する画像利用者用端末装置と
を備える画像共有システム。
【請求項２】
画像提供者の入力操作に応じて、投稿対象の画像としての第１の投稿画像及び所望のＵＲＬ情報を入力するための入力手段と、
前記第１の投稿画像及び前記ＵＲＬ情報をサーバ装置に送信する第１の送信手段と
を有する画像提供者用端末装置と、
前記画像提供者用端末装置から送信された前記第１の投稿画像及び前記ＵＲＬ情報を受信する受信手段と、
前記受信手段によって受信された前記第１の投稿画像を、前記ＵＲＬ情報と関連付けて記憶する記憶手段と
を有する前記サーバ装置と、
画像利用者の入力操作に応じて、前記サーバ装置の前記記憶手段に記憶されている前記第１の投稿画像の中から、所望の前記第１の投稿画像を選択することにより、当該選択された前記第１の投稿画像と、前記第１の投稿画像に関連付けて記憶されている前記ＵＲＬ情報とを取得する取得手段と、
前記取得手段によって取得された前記第１の投稿画像に対して文字情報を付加することにより、第２の投稿画像を生成する第２の投稿画像生成手段と、
前記第２の投稿画像及び前記ＵＲＬ情報をソーシャル・ネットワーキング・サービス用サーバ装置に送信することにより、前記ソーシャル・ネットワーキング・サービス用サーバ装置が運営するサイトにおいて、前記第２の投稿画像を表示する際には、前記第２の投稿画像の近傍に前記ＵＲＬ情報を表示させる第２の送信手段と
を有する画像利用者用端末装置と
を備える画像共有システム。
【請求項３】
画像提供者用端末装置における画像提供者の入力操作に応じて、投稿対象の画像に対して文字情報を付加することにより、第１の投稿画像を生成する第１の投稿画像生成ステップと、
前記第１の投稿画像の著作権を放棄することに同意したか否かを判定する判定ステップと、
前記第１の投稿画像の著作権を放棄することに同意したと判定された場合には、前記第１の投稿画像を前記画像提供者用端末装置からサーバ装置及びソーシャル・ネットワーキング・サービス用サーバ装置に送信する第１の送信ステップと、
前記画像提供者用端末装置から送信された前記第１の投稿画像を前記サーバ装置おいて受信する受信ステップと、
前記受信ステップによって受信された前記第１の投稿画像を前記サーバ装置の記憶手段に記憶する記憶ステップと、
画像利用者用端末装置における画像利用者の入力操作に応じて、前記サーバ装置の前記記憶手段に記憶されている前記第１の投稿画像の中から、所望の前記第１の投稿画像を選択して取得する取得ステップと、
前記取得ステップによって取得された前記第１の投稿画像の文字情報を置き換えることにより、第２の投稿画像を生成する第２の投稿画像生成ステップと、
前記第２の投稿画像を前記ソーシャル・ネットワーキング・サービス用サーバ装置に送信する第２の送信ステップと
を備える画像共有方法。
【請求項４】
画像提供者用端末装置における画像提供者の入力操作に応じて、投稿対象の画像としての第１の投稿画像及び所望のＵＲＬ情報を入力する入力ステップと、
前記第１の投稿画像及び前記ＵＲＬ情報をサーバ装置に送信する第１の送信ステップと、
前記画像提供者用端末装置から送信された前記第１の投稿画像及び前記ＵＲＬ情報を前記サーバ装置において受信する受信ステップと、
前記受信ステップによって受信された前記第１の投稿画像を、前記ＵＲＬ情報と関連付けて前記サーバ装置の記憶手段に記憶する記憶ステップと、
画像利用者用端末装置における画像利用者の入力操作に応じて、前記サーバ装置の前記記憶手段に記憶されている前記第１の投稿画像の中から、所望の前記第１の投稿画像を選択することにより、当該選択された前記第１の投稿画像と、前記第１の投稿画像に関連付けて記憶されている前記ＵＲＬ情報とを取得する取得ステップと、
前記取得ステップによって取得された前記第１の投稿画像に対して文字情報を付加することにより、第２の投稿画像を生成する第２の投稿画像生成ステップと、
前記第２の投稿画像及び前記ＵＲＬ情報をソーシャル・ネットワーキング・サービス用サーバ装置に送信することにより、前記ソーシャル・ネットワーキング・サービス用サーバ装置が運営するサイトにおいて、前記第２の投稿画像を表示する際には、前記第２の投稿画像の近傍に前記ＵＲＬ情報を表示させる第２の送信ステップと
を備える画像共有方法。
【発明の詳細な説明】
【技術分野】
【０００１】
本発明は、画像共有システム及びその方法に関する。
【背景技術】
【０００２】
近年、ソーシャル・ネットワーキング・サービス（ＳＮＳ）として、例えばフェイスブック（登録商標）、ツイッター（登録商標）、ブログなど、種々のサービスが世界中で開発され、広く普及している。また、近年では、ソーシャル・ネットワーキング・サービスを利用した種々の広告手法が、提案及び開発されている（例えば、特許文献１参照）。
【先行技術文献】
【特許文献】
【０００３】
【特許文献１】特開２００８−１７１２２３号公報
【発明の概要】
【発明が解決しようとする課題】
【０００４】
本発明は、簡単な操作で容易に画像の共有を行うことができ、従って従来と比較して一段とソーシャル・ネットワーキング・サービス（ＳＮＳ）におけるエンタテインメント性を向上させることができる画像共有システム及びその方法を提供することを目的とする。
【課題を解決するための手段】
【０００５】
本発明の一態様による画像共有システムは、
画像提供者の入力操作に応じて、投稿対象の画像に対して文字情報を付加することにより、第１の投稿画像を生成する第１の投稿画像生成手段と、
前記第１の投稿画像の著作権を放棄することに同意したか否かを判定する判定手段と、
前記第１の投稿画像の著作権を放棄することに同意したと判定された場合には、前記第１の投稿画像をサーバ装置及びソーシャル・ネットワーキング・サービス用サーバ装置に送信する第１の送信手段と
を有する画像提供者用端末装置と、
前記画像提供者用端末装置から送信された前記第１の投稿画像を受信する受信手段と、
前記受信手段によって受信された前記第１の投稿画像を記憶する記憶手段と
を有する前記サーバ装置と、
画像利用者の入力操作に応じて、前記サーバ装置の前記記憶部に記憶されている前記第１の投稿画像の中から、所望の前記第１の投稿画像を選択して取得する取得手段と、
前記取得手段によって取得された前記第１の投稿画像の文字情報を置き換えることにより、第２の投稿画像を生成する第２の投稿画像生成手段と、
前記第２の投稿画像を前記ソーシャル・ネットワーキング・サービス用サーバ装置に送信する第２の送信手段と
を有する画像利用者用端末装置と
を備える。
【０００６】
また、本発明の一態様による画像共有システムは、
画像提供者の入力操作に応じて、投稿対象の画像としての第１の投稿画像及び所望のＵＲＬ情報を入力するための入力手段と、
前記第１の投稿画像及び前記ＵＲＬ情報をサーバ装置に送信する第１の送信手段と
を有する画像提供者用端末装置と、
前記画像提供者用端末装置から送信された前記第１の投稿画像及び前記ＵＲＬ情報を受信する受信手段と、
前記受信手段によって受信された前記第１の投稿画像を、前記ＵＲＬ情報と関連付けて記憶する記憶手段と
を有する前記サーバ装置と、
画像利用者の入力操作に応じて、前記サーバ装置の前記記憶部に記憶されている前記第１の投稿画像の中から、所望の前記第１の投稿画像を選択することにより、当該選択された前記第１の投稿画像と、前記第１の投稿画像に関連付けて記憶されている前記ＵＲＬ情報とを取得する取得手段と、
前記取得手段によって取得された前記第１の投稿画像に対して文字情報を付加することにより、第２の投稿画像を生成する第２の投稿画像生成手段と、
前記第２の投稿画像及び前記ＵＲＬ情報をソーシャル・ネットワーキング・サービス用サーバ装置に送信することにより、前記ソーシャル・ネットワーキング・サービス用サーバ装置が運営するサイトにおいて、前記第２の投稿画像を表示する際には、前記第２の投稿画像の近傍に前記ＵＲＬ情報を表示させる第２の送信手段と
を有する画像利用者用端末装置と
を備える。
【０００７】
また、本発明の一態様による画像共有方法は、
画像提供者用端末装置における画像提供者の入力操作に応じて、投稿対象の画像に対して文字情報を付加することにより、第１の投稿画像を生成する第１の投稿画像生成ステップと、
前記第１の投稿画像の著作権を放棄することに同意したか否かを判定する判定ステップと、
前記第１の投稿画像の著作権を放棄することに同意したと判定された場合には、前記第１の投稿画像を前記画像提供者用端末装置からサーバ装置及びソーシャル・ネットワーキング・サービス用サーバ装置に送信する第１の送信ステップと、
前記画像提供者用端末装置から送信された前記第１の投稿画像を前記サーバ装置おいて受信する受信ステップと、
前記受信ステップによって受信された前記第１の投稿画像を前記サーバ装置の記憶手段に記憶する記憶ステップと、
画像利用者用端末装置における画像利用者の入力操作に応じて、前記サーバ装置の前記記憶部に記憶されている前記第１の投稿画像の中から、所望の前記第１の投稿画像を選択して取得する取得ステップと、
前記取得ステップによって取得された前記第１の投稿画像の文字情報を置き換えることにより、第２の投稿画像を生成する第２の投稿画像生成ステップと、
前記第２の投稿画像を前記ソーシャル・ネットワーキング・サービス用サーバ装置に送信する第２の送信ステップと
を備える。
【０００８】
また、本発明の一態様による画像共有方法は、
画像提供者用端末装置における画像提供者の入力操作に応じて、投稿対象の画像としての第１の投稿画像及び所望のＵＲＬ情報を入力する入力ステップと、
前記第１の投稿画像及び前記ＵＲＬ情報をサーバ装置に送信する第１の送信ステップと、
前記画像提供者用端末装置から送信された前記第１の投稿画像及び前記ＵＲＬ情報を前記サーバ装置において受信する受信ステップと、
前記受信ステップによって受信された前記第１の投稿画像を、前記ＵＲＬ情報と関連付けて前記サーバ装置の記憶手段に記憶する記憶ステップと、
画像利用者用端末装置における画像利用者の入力操作に応じて、前記サーバ装置の前記記憶部に記憶されている前記第１の投稿画像の中から、所望の前記第１の投稿画像を選択することにより、当該選択された前記第１の投稿画像と、前記第１の投稿画像に関連付けて記憶されている前記ＵＲＬ情報とを取得する取得ステップと、
前記取得ステップによって取得された前記第１の投稿画像に対して文字情報を付加することにより、第２の投稿画像を生成する第２の投稿画像生成ステップと、
前記第２の投稿画像及び前記ＵＲＬ情報をソーシャル・ネットワーキング・サービス用サーバ装置に送信することにより、前記ソーシャル・ネットワーキング・サービス用サーバ装置が運営するサイトにおいて、前記第２の投稿画像を表示する際には、前記第２の投稿画像の近傍に前記ＵＲＬ情報を表示させる第２の送信ステップと
を備える。
【発明の効果】
【０００９】
本発明の画像共有システム及びその方法によれば、簡単な操作で容易に画像の共有を行うことができ、従って従来と比較して一段とソーシャル・ネットワーキング・サービス（ＳＮＳ）におけるエンタテインメント性を向上させることができる。
【図面の簡単な説明】
【００１０】
【図１】本発明の実施の形態による画像共有システムの構成を示すブロック図である。
【図２】同画像共有システムにおけるサーバ装置の構成を示すブロック図である。
【図３】本発明の実施の形態による画像記憶処理手順を示すフローチャートである。
【図４】本発明の実施の形態による画像取得処理手順を示すフローチャートである。
【発明を実施するための形態】
【００１１】
以下、本発明の実施の形態について図面を参照して説明する。
【００１２】
図１に、本発明の実施の形態による画像共有システム１０の構成を示す。この画像共有システム１０は、当該システムを運営及び管理するためのサーバ装置２０と、例えばフェイスブック（登録商標）を運営及び管理するためのソーシャル・ネットワーキング・サービス（ＳＮＳ）用サーバ装置３０と、画像提供者用端末装置４０と、画像利用者用端末装置５０とを有し、これらはインターネット回線６０を介して接続されている。
【００１３】
図２に、サーバ装置２０の具体的な構成を示す。このサーバ装置２０は、制御部１００と、記憶部１１０と、入力部１２０と、表示部１３０と、送受信処理部１４０とを有する。また、画像提供者用端末装置４０及び画像利用者用端末装置５０についても、サーバ装置２０と同様の構成を有する。なお、図３に、本実施の形態による画像記憶処理手順ＲＴ１０を示し、図４に、本実施の形態による画像取得処理手順ＲＴ２０を示す。
【００１４】
ここで、サーバ装置２０の記憶部１１０には、当該画像共有システム１０を運営及び管理するために必要なソフトウエアが予め記憶されている。制御部１００は、この記憶部１１０に記憶されているソフトウエアを必要に応じて読み出して実行することにより、各部の動作を制御する。
【００１５】
本実施の形態の場合、画像提供者用端末装置４０は、予め、画像提供者の入力操作に応じて、ＳＮＳ用サーバ装置３０に認証情報を送信することにより、ＳＮＳ用サーバ装置３０に対してアクセス可能な状態、すなわちログインされた状態に遷移されている。
【００１６】
この状態において、画像提供者は、撮像又は作成した画像を投稿しようとして、画像提供者用端末装置４０を操作すると、画像提供者用端末装置４０は、表示部１３０に投稿画面（図示せず）を表示し、画像提供者の入力操作に応じて、投稿対象の画像を指定すると共に、当該画像の近傍に配置される「ふきだし」内に挿入するコメントを入力することにより、画像に対して「せりふ」が付加された投稿画像（すなわち、第１の投稿画像）を生成する（ステップＳＰ１０）。
【００１７】
この場合、画像提供者用端末装置４０の制御部１００及び入力部１２０は、第１の投稿画像生成手段として動作し、画像提供者の入力操作に応じて、投稿対象の画像に対して文字情報を付加することにより、第１の投稿画像を生成する。
【００１８】
その際、画像提供者用端末装置４０は、投稿画像の著作権を放棄することに同意するか否かを確認するための著作権放棄ボタン（図示せず）を表示部１３０に表示する（ステップＳＰ２０）。
【００１９】
この状態において、画像提供者用端末装置４０は、画像提供者が当該画像提供者用端末装置４０を入力操作することにより、画像提供者が著作権放棄ボタンを押下し、かつ投稿画像を投稿するための投稿ボタン（図示せず）を押下したと判断すると、投稿画像をサーバ装置２０及びＳＮＳ用サーバ装置３０に送信する（ステップＳＰ３０）。
【００２０】
この場合、画像提供者用端末装置４０の制御部１００及び表示部１３０は、判定手段として動作し、第１の投稿画像の著作権を放棄することに同意したか否かを判定する。さらに、画像提供者用端末装置４０の制御部１００及び送受信処理部１４０は、第１の送信手段として動作し、第１の投稿画像の著作権を放棄することに同意したと判定された場合には、第１の投稿画像をサーバ装置２０及びＳＮＳ用サーバ装置３０に送信する。
【００２１】
このようにして、画像提供者用端末装置４０は、サーバ装置２０が運営する画像共有サイトと、ＳＮＳ用サーバ装置３０が運営するソーシャル・ネットワーキング・サービス（ＳＮＳ）サイトとに対して、投稿画像を投稿する。
【００２２】
なお、画像提供者用端末装置４０は、著作権放棄ボタンが押下されないため、画像提供者が投稿画像の著作権を放棄することに同意しなかったと判断した場合には、表示部１３０に表示されている投稿画面を終了させる。
【００２３】
サーバ装置２０は、画像提供者用端末装置４０から送信された投稿画像を受信すると、当該投稿画像を所望のカテゴリーに分類した上で、記憶部１１０に記憶する（ステップＳＰ４０）。
【００２４】
この場合、サーバ装置２０の制御部１００及び送受信処理部１４０は、受信手段として動作し、画像提供者用端末装置４０から送信された第１の投稿画像を受信する。さらに、サーバ装置２０の記憶部１１０は、記憶手段として動作し、この受信手段によって受信された第１の投稿画像を記憶する。
【００２５】
一方、ＳＮＳ用サーバ装置３０は、画像提供者用端末装置４０から送信された投稿画像を受信すると、ＳＮＳ用サーバ装置３０が運営するソーシャル・ネットワーキング・サービス（ＳＮＳ）サイトのうち、画像提供者が管理するページ内の所定位置に、この投稿画像を表示する。
【００２６】
このようにして、サーバ装置２０は、複数の画像提供者用端末装置４０から順次送信されてきた投稿画像を記憶部１１０に記憶していくことにより、記憶部１１０に投稿画像を蓄積する。
【００２７】
この状態において、画像利用者は、サーバ装置２０が運営する画像共有サイトに投稿されている画像の中から、所望の画像を取得しようとして、画像利用者用端末装置５０を操作すると、画像利用者用端末装置５０は、画像利用者の入力操作に応じて、サーバ装置２０の記憶部１１０に記憶されている画像の中から、所望の画像を検索及び選択することにより、サーバ装置２０の記憶部１１０から、この選択した画像を取得する（ステップＳＰ１００）。
【００２８】
この場合、画像利用者用端末装置５０の制御部１００、入力部１２０及び送受信処理部１４０は、取得手段として動作し、画像利用者の入力操作に応じて、サーバ装置２０の記憶手段に記憶されている第１の投稿画像の中から、所望の第１の投稿画像を選択して取得する。
【００２９】
続いて、画像利用者用端末装置５０は、画像利用者の入力操作に応じて、選択した画像の近傍に配置される「ふきだし」内に挿入するコメントを入力することにより、画像に対して「せりふ」が付加された投稿画像を生成する（ステップＳＰ１１０）。
【００３０】
この場合、画像利用者用端末装置５０の制御部１００及び入力部１２０は、第２の投稿画像生成手段として動作し、上述の取得手段によって取得された第１の投稿画像の文字情報を置き換えることにより、第２の投稿画像を生成する。
【００３１】
画像利用者用端末装置５０は、画像利用者が当該画像利用者用端末装置５０を入力操作することにより、投稿画像を投稿するための投稿ボタン（図示せず）を押下したと判断すると、投稿画像をＳＮＳ用サーバ装置３０に送信する（ステップＳＰ１２０）。
【００３２】
この場合、画像利用者用端末装置５０の制御部１００及び送受信処理部１４０は、第２の送信手段として動作し、第２の投稿画像をＳＮＳ用サーバ装置３０に送信する。
【００３３】
これにより、画像利用者用端末装置５０は、ＳＮＳ用サーバ装置３０が運営するソーシャル・ネットワーキング・サービス（ＳＮＳ）サイトに対して、投稿画像を投稿する。
【００３４】
このように本実施の形態によれば、簡単な操作で容易に画像の共有を行うことができ、従って従来と比較して一段とソーシャル・ネットワーキング・サービス（ＳＮＳ）におけるエンタテインメント性を向上させることができる。
【００３５】
なお、上述の実施の形態においては、ＳＮＳ用サーバ装置３０が運用するソーシャル・ネットワーキング・サービスとして、フェイスブック（登録商標）を適用した場合について述べたが、本発明はこれに限らず、例えばツイッター（登録商標）やブログなど、種々のソーシャル・ネットワーキング・サービスを運用するようにしても良い。
【００３６】
また、上述の実施の形態においては、サーバ装置２０が運営する画像共有サイトと、ＳＮＳ用サーバ装置３０が運営するソーシャル・ネットワーキング・サービス（ＳＮＳ）サイトとに対して、投稿画像を投稿する場合について述べたが、本発明はこれに限らず、サーバ装置２０が運営する画像共有サイトのみに対して、投稿画像を投稿するようにしても良い。
【００３７】
すなわち、画像提供者用端末装置４０は、画像提供者の入力操作に応じて、当該画像提供者が運営するサイトを告知するためのＵＲＬ情報（ウェブサイトのアドレス情報）が予め入力されると、投稿画像をサーバ装置２０に送信する際には、この予め入力されたＵＲＬ情報を投稿画像と共にサーバ装置２０に送信し、投稿画像とＵＲＬ情報とを関連付けてサーバ装置２０の記憶部１１０に記憶させる。
【００３８】
この場合、画像提供者用端末装置４０の制御部１００及び入力部１２０は、入力手段として動作し、画像提供者の入力操作に応じて、投稿対象の画像としての第１の投稿画像及び所望のＵＲＬ情報を入力する。
【００３９】
続いて、画像提供者用端末装置４０の制御部１００及び送受信処理部１４０は、第１の送信手段として動作し、第１の投稿画像及びＵＲＬ情報をサーバ装置２０に送信する。サーバ装置２０の制御部１００及び送受信処理部１４０は、受信手段として動作し、画像提供者用端末装置４０から送信された第１の投稿画像及びＵＲＬ情報を受信する。サーバ装置２０の記憶部１１０は、記憶手段として動作し、この受信手段によって受信された第１の投稿画像を、ＵＲＬ情報と関連付けて記憶する。
【００４０】
この状態において、画像利用者用端末装置５０は、ＵＲＬ情報と関連付けられた画像を取得及び投稿するための操作が行われたと判断した場合には、サーバ装置２０から投稿画像と共にＵＲＬ情報を取得し、ＵＲＬ情報を投稿画像と共にＳＮＳ用サーバ装置３０に送信する。
【００４１】
この場合、画像利用者用端末装置５０の制御部１００、入力部１２０及び送受信処理部１４０は、取得手段として動作し、画像利用者の入力操作に応じて、サーバ装置２０の記憶手段に記憶されている第１の投稿画像の中から、所望の第１の投稿画像を選択することにより、当該選択された第１の投稿画像と、第１の投稿画像に関連付けて記憶されているＵＲＬ情報とを取得する。
【００４２】
続いて、画像利用者用端末装置５０の制御部１００及び入力部１２０は、第２の投稿画像生成手段として動作し、上述の取得手段によって取得された第１の投稿画像に対して文字情報を付加することにより、第２の投稿画像を生成する。
【００４３】
これにより、ＳＮＳ用サーバ装置３０は、ＳＮＳサイトに投稿画像を投稿して表示する際、投稿画像の近傍にＵＲＬ情報を表示させる。
【００４４】
この場合、画像利用者用端末装置５０の制御部１００及び送受信処理部１４０は、第２の送信手段として動作し、第２の投稿画像及びＵＲＬ情報をＳＮＳ用サーバ装置３０に送信することにより、ＳＮＳ用サーバ装置３０が運営するサイトにおいて、第２の投稿画像を表示する際には、第２の投稿画像の近傍にＵＲＬ情報を表示させる。
【符号の説明】
【００４５】
１０  画像共有システム
２０  サーバ装置
３０  ＳＮＳ用サーバ装置
４０  画像提供者用端末装置
５０  画像利用者用端末装置
１００  制御部
１１０  記憶部
１２０  入力部
１３０  表示部
１４０  送受信処理部
【図１】
2014146100.tif 000003
【図２】
2014146100.tif 000004
【図３】
2014146100.tif 000005
【図４】
2014146100.tif 000006